(57)【要約】      （修正有）【課題】カッターに関し、安全性を確保しつつ、ペレット収納袋の封止部のような緊張状態にないシート状の切断対象物にあっても効率的に切断し得るようにすることを目的とする。【解決手段】円形刃１２はカッターナイフ本体１０に、その切断縁１２−２を部分的に露出させるべく取り付けられている。カッターナイフ本体１０の基部１０−２に樹脂製取付け部６２が挿入固定される。樹脂製取付け部６２に、回動レバー６６の一端がピン７０により回動自在に取り付けられ、回動レバー６６の他端に、回転ローラ６４が円形刃１２の切断縁１２−２にその露出部１２−２ａにおいて対向するように設置される。カッターナイフ本体１０の手操作による移動によりペレット収納袋の封止部Ｂ’は回転ローラ６４と本体１０対向面との間に導入され、カッターナイフ本体１０の移動継続により封止部Ｂ’は円形刃１２により切断される。【選択図】図５
2019068906.tif 000002
【特許請求の範囲】
【請求項１】
カッターナイフ本体と
カッターナイフ本体に、その切断縁を部分的に露出させるべく取り付けられた円形刃と、
カッターナイフ本体の対向面との間で切断対象物の円形刃への露出された切断縁への導入を行わしめる切断対象物導入部とを備え、
切断対象物導入部は、円形刃に対する切断対象物の導入側においてカッターナイフ本体に対向する切断対象物係合部材と、カッターナイフ本体の対向面に切断対象物を弾性力下で接触するべく付勢する弾性部材とを具備しており、弾性部材は、切断対象物の切断のためのカッターナイフ本体の手操作による切断対象物に対する移動は阻害しないが、切断対象物をカッターナイフ本体の対向面に接触維持する大きさの弾性力下で押圧するようにされているカッター。
【請求項２】
請求項１に記載の発明において、切断対象物係合部材は枢軸により回転可能な支持部材に取り付けられた回転ローラより成り、弾性部材は回転ローラが枢軸の周りで回動するべく支持部材を付勢するカッター。
【請求項３】
請求項２に記載の発明において、弾性部材は支持部材における回転ローラから離間側に設けられた弾性チューブであるカッター。
【請求項４】
請求項１に記載の発明において、切断対象物導入部は、切断対象物係合部材と弾性部材との一体化であるプラスチック製の片持状湾曲部を備え、片持状湾曲部は自らの弾性力によりカッターナイフ本体に対して押圧付勢するカッター。
【発明の詳細な説明】
【技術分野】
【０００１】
この発明はカッターに関し、厚手の紙シートの切断、特に、プラスチック成形用のペレット収納袋等の開封作業適したものである。
【背景技術】
【０００２】
プラスチックの成形に使用される樹脂ペレットは厚紙に作られた丈夫なペレット収納袋に収容された状態にて成形工場に供給される。成形工場で成形作業のため、ペレット収納袋を開封し、ペレットを成形機に供給する。ペレット収納袋は厚手であるため、その開封のために、鋭利なカッターが必要であり、従来より市販の折り刃型のカッターが使用されてきた。この種の折り刃型のカッターは安全のため切断刃の露出は最小としつつ作業が可能となるように工夫されたものである。しかしながら、鋭利な切断部が最小とはいえ露出しており、危険回避のため切断刃が露出していないカッターが希求されていた。切断刃が露出していないカッターとしては、カッターナイフ本体と、カッターナイフ本体に取り付けられた円形刃とを備え、カッターナイフ本体は円形刃の外周部に部分的に開口し、シート等の切断対象物を円形刃に導入するための開口部を形成し、開口部は円形刃の接線方向に延び、切断対象物をして下面より救い上げるためのすくい部と、すくい部と対向して設けられ、切断対象物の上面のための案内部とを形成した所謂すくい切りタイプのカッターが市販されている（非特許文献１）。このカッターは、切断刃は開口部の奥に位置しており、直接外部に露出していないので、作業の安全性としてはすこぶる高い点で優れたものである。
【０００３】
同様な原理のカッタとしては、非特許文献１のカッターの販売会社が出願人であり、すくい部を複数設置したものも提案されている（特許文献１）。
【先行技術文献】
【特許文献】
【０００４】
【特許文献１】特開２００６−１９３８３４
【非特許文献】
【０００５】
【非特許文献１】マルカッター４５・Ｃ型，Product，公式サイト，オルファ株式会社，〔online〕，〔平成２９年８月３１日検索〕，インターネット
【発明の概要】
【発明が解決しようとする課題】
【０００６】
非特許文献１のカッターは切断部が奥に隠れているため、安全性はすこぶる高い製品であるが、用途としては、段ボール箱等の包装に使用される紙バンドや或る程度の緊張下にあるシート物の切断作業に特に適した構造となっている。段ボール箱等の包装では、紙バンドは緊張状態にあるため、紙バンドの切断部位にカッターナイフ本体のすくい部を差し込むだけで、紙バンドは切断力を効率的に受けることができる。しかしながら、切断対象物がペレット収納袋の封止部の場合は、切断しようと開口部を差し込んでも、封止部の端部（収納袋の縁部）が屈曲してしまい、切断力が効率的に伝わらないため効果的な切断作業を行ない得なかった。
【０００７】
本発明は従来の問題点を解決し、安全性を確保しつつ、ペレット収納袋の封止部のような緊張状態にないシート状の切断対象物にあっても効率的に切断し得るようにすることを目的とする。
【課題を解決するための手段】
【０００８】
本発明によれば、
カッターナイフ本体と
カッターナイフ本体に、その切断縁を部分的に露出させるべく取り付けられた円形刃と、
カッターナイフ本体の対向面との間で切断対象物の円形刃への露出された切断縁への導入を行わしめる切断対象物導入部とを備え、切断対象物導入部は、円形刃に対する切断対象物の導入側においてカッターナイフ本体に対向する切断対象物係合部材と、カッターナイフ本体の対向面に切断対象物を弾性力下で接触するべく付勢する弾性部材とを具備したカッターが提供される。弾性部材は、切断対象物の切断のためのカッターナイフ本体の手操作による切断対象物に対する移動は阻害しないが、切断対象物をカッターナイフ本体の対向面に接触維持する適宜な大きさの弾性力下で押圧するようにされている。
【０００９】
好ましくは、切断対象物係合部材は枢軸により回転可能な支持部材に取り付けられた回転ローラより成り、弾性部材は回転ローラが枢軸の周りで回動するべく支持部材を付勢するようにされる。
弾性部材は支持部材における回転ローラから離間側に設けられた弾性チューブとすることができる。
【発明の効果】
【００１０】
本発明によれば、切断対象物はカッターナイフ本体の対向面に対して切断対象物係合部材により軽微な弾性下で押付けられているため、切断対象物係合部材に対するカッターナイフの移動を阻害することなく、切断対象物はカッターナイフ本体と切断対象物係合部材との間に確実に保持することができ、円形刃による切断を安定して行うことができる。
【００１１】
また、切断対象物係合部材は回転ローラとすることにより、切断のためのカッターの移動時にローラが回転することにより、より円滑な切断操作を実現することができる。
【図面の簡単な説明】
【００１２】
【図１】図１はこの発明の第１の実施形態のカッターの側面図である。
【図２】図２は図１と同様であるが、挿入体の取り付け前の状態を示す。
【図３】図３は図１のIII−III線に沿った矢視断面図である。
【図４】図４は挿入体の単品平面図（図２のIV方向矢視図）である。
【図５】図５はこの発明の第２の実施形態のカッターの側面図である。
【図６】図６は図５と同様であるが、切断対称物保持具の取り付け前の状態を示し、切断対称物保持具については図８の大略VI−VI線に沿った矢視断面図として表されている。
【図７】図７は図５のVII−VII線に沿った矢視断面図である。
【図８】図８は図５の大略VIII−VIII線に沿った矢視断面図である。
【発明を実施するための形態】
【００１３】
図１はこの発明の第１の実施形態のカッターを示しており、プラスチックの成形品であるカッターナイフ本体１０と、カッターナイフ本体１０と一体のハンドル部１０Ａと、ステンレス製の円形刃１２と、円形刃１２のためのカバー板１４と、金属製固定軸１６とを備える。また、符号１７は、カッターナイフ本体１０に挿入式に取り付け固定され、円形刃１２への切断対象物の案内を行う挿入体（本発明の切断対象物導入部）を示す。挿入体１７は、この発明の実施形態においては、カッターナイフ本体１０とは別にプラスチック成形され、カッターナイフ本体１０に装着・固定される構造となっており、図２は挿入体１７が装着前のカッターナイフ本体１０から分離された状態を示す。
【００１４】
図３に示すように、円形刃１２は、カッターナイフ本体１０の片面の円形刃収容凹部10-1に収容され、カバー板１４は凹部10-1の内径部に相補的な形状の外形部を備え、円形刃１２を凹部10-1に収容した状態でプラスチック製カバー板１４が被せられ、金属製固定軸１６がカバー板１４の固定軸挿入孔14-1及び円形刃１２の中心孔12-1を介して頭部16-1が当接するまで挿通され、反対側に突出するねじ部16-2に蝶ねじ２０がそのねじ部20-1において螺合固定される。カッターナイフ本体１０は、下面側に基部10-2を形成しており、図２に示すように基部10-2は円形刃１２の下端エッジ12-2を幾分超える位置まで延設され、円形刃１２の下端エッジ12-2は、図３に示すように、基部10-2の前部に形成される切込溝部10-2aに収容され、これにより、円形刃１２の確実な支持状態を得ることができるようになっている。
【００１５】
挿入体１７はプラスチックの一体成形品として構成され、図１に示すように、カッターナイフ本体１０の基部10-2への取付け部２４と、切断対象物をカッターナイフ本体１０の対向面に弾性力下で押圧する押圧部２６（本発明の切断対象物係合部材と弾性部材とを兼用する）とからなる。取付け部２４は、図３及び図４に示すように、上向きの開口部24-1を有する断面コの字形状をなす。カッターナイフ本体１０の基部10-2に対する取付け部２４の装着状態においては、円形刃１２の下端部が、開口部24-1を介して基部10-2に延出し、円形刃１２の下端エッジ12-2が基部10-2に形成される切込溝部10-2a（図３）に収容されるようになっている。図１に示すように、円形刃１２は全周におけるエッジ12-2における実線12-2aで示す部位のみが露出するだけであり、かつこの露出部位12-2aは取付け部２４により前方が閉塞されており、安全性の極めて高い構成となっている。尚、挿入体１７をカッターナイフ本体１０に装着した図１の状態において、挿入体１７は接着剤によりカッターナイフ本体１０に固着される。接着剤による固着の代わりに、取付け部２４と基部10-2との間に溝と突起とからなるプラスチック成形では周知の係合手段を設置することにより離脱防止を行なうようにすることができる。この実施形態のカッターナイフ本体１０は、非特許文献１のそれとの比較では、基部10-2が短縮され、カッターナイフ本体１０の底面10-3を直線状とする点の構成変更を行なったものである。
【００１６】
挿入体１７の押圧部２６は、図1に示すように、取付け部２４から離間側の前端面から円形刃１２の切断縁12-2aに向けて後方に延びる片持状の湾曲部26-1を形成しており、他方、湾曲部26-1に対向したカッターナイフ本体１０の底面10-3は円形刃１２側から真っ直ぐに延びており、湾曲部26-1は自身の軽微な弾性力下でカッターナイフ本体１０の底面10-3に当接される。これにより、ペレット収納袋の封止部等の切断対象部は、カッターナイフ本体１０の底面10-3と押圧部２６の湾曲部26-1との間に弾性力下で保持されつつ円形刃１２の切断縁12-2aによって切断することができる。
【００１７】
図１においてペレット収納袋はＡにて表され、台上横向きに設置された状態にて表す。収納袋Ａの端部は開口部の縫着や接着等による封止部Ｂを形成する。図の状態では封止部Ｂは帯状に紙面直交方向に延出しているものとする。封止部Ｂの開封のためにカッターをハンドル１０Ａにて握り、矢印Ｃのように前進させることにより、封止部Ｂの縁部は、想像線Ｂ´のように押圧部２６の湾曲部26-1とこれに対向したカッターナイフ本体１０の下面10-3との間に位置させる。ペレット収納袋の封止部Ｂは相当な肉厚があるため、縁部の剛性がある程度はあり、また、ペレット収納袋Ａは重量があるため、カッターの前進（矢印Ｃ）を続けることにより封止部Ｂはその縁部Ｂ´ａは座屈することなく湾曲部26-1をその弾性に抗して押し下げ、その結果、封止部Ｂは押圧部２６の湾曲部26-1とこれに対向したカッターナイフ本体１０の下面10-3との間に導入され、カッターの更なる前進（矢印Ｃ）により円形刃１２の切断縁12-2aが封止部Ｂはその縁部Ｂ´ａから切断を開始され、カッターの前進（矢印Ｃ）を続けることにより封止部Ｂの完全な切除に至ることができる。切断を受ける封止部Ｂは湾曲部26-1とカッターナイフ本体下面10-3との間で軽微な弾性力下で保持されるため、カッターナイフ本体を移動させつつ封止部Ｂの円形刃１２によるスムースな切断可能となる。
【００１８】
図５は本発明の第２の実施形態を示し、符号６０は切断対称物保持具（本発明の切断対象物導入部）示す。切断対称物保持具６０は、プラスチックの一体成形品として構成され、カッターナイフ本体１０の基部10-2への取付け部６２と、切断対象物をカッターナイフ本体１０の対向面に弾性力下で押圧する回転ローラ６４（本発明の切断対象物係合部材）と、回転ローラ６４を支持する回動レバー６６（本発明の回転可能な支持部材）と、プラスチック素材のチューブを所定長に切断して成る弾性部材６８とを備える。取付け部６２の形状を説明すると、取付け部６２は底壁面62-１と、底壁面62-1の両側において直立した一対の側壁面62-2と、カッターナイフ本体１０の基部10-2への挿入側において側壁面62-2の上面より片持状に延びる一対の上壁面62-3とを備える。図８に示すように、一対の上壁面62-3間に隙間62-4が形成され、また、図７に示すように、底壁面62-1は、カッターナイフ本体１０の基部10-2側において、盛り上がった平坦面62-1aを形成する。そのため、カッターナイフ本体１０の基部10-2側において、一対の側壁面62-2と、一対の上壁面62-3と、平坦面62-1aとの間に、上向き開口の空洞部としての嵌合部Ｓ（図６及び図７）が形成され、この嵌合部Ｓにカッターナイフ本体１０の基部10-2を挿入することにより、取付け部６２を図５に示すように、カッターナイフ本体１０の基部10-2に装着することができる。嵌合部Ｓの大きさはカッターナイフ本体１０の基部10-2への挿入に支障がなくかつ挿入状態においたガタがないように設計される。図５の所期の装着状態において、取付け部６２はカッターナイフ本体１０に接着固定されるか、溝と突起とからなるプラスチック成形では周知の係合手段により固定化することができる。取付け部６２は回転ローラ６４側においては、側壁面62-2の上側は開放した空間となっておりかつこの空間に隙間62-4が連なっており、（図６及び図８参照）、図５の切断対称物保持具６０のカッターナイフ本体１０への所期取付け状態では、回転刃１２の歯先12-2が、第１の実施形態において図３にて説明したと同様に、基部10-2の切込溝部（図３の10-2aにて示す）に延出収容されるようになっていることは同様である。尚、弾性部材として、コイルスプリング等を使用する構成も可能であることは言うまでもない。
【００１９】
回転ローラ６４は、例えば、真鍮製のものであり、プラスチック製の回動レバー６６の外側端部の一対の直立耳部66-1間に位置される。図８において、金属性ピン６９は、回転ローラ６４の中心孔に挿入され、ピン６９は直立耳部66-1に対しては接着等による固着構造となっている。そして、直立耳部66-1間の間隔は回転ローラ６４の軸長より適当に大きく、また、回転ローラ６４の中心孔の内径は金属性ピン６９の外径より適当に大きく、そのため、回転ローラ６４はガタのない範囲でフリーに回転するようになっている。回動レバー６６の内側端部は金属性のピン７０に回転可能に取り付けられる。金属性のピン７０（本発明の枢軸）は取付け部６２の両側壁面62-2に接着等により固着される。そのため、回転ローラ６４を備えた回動レバー６６はピン７０に対して回転可能となっている。尚、ピン69, 70の代わりにビス及びナットとすることができる。
【００２０】
図６は、カッターナイフ本体１０の基部10-2に対する切断対称物保持具６０の装着前の状態を示しており、また、本実施形態においては、市販のポリウレタン製チューブ（外径５ｍｍで肉厚０．５ｍｍ）よりなる弾性部材６８は回動レバー６６の下面と取付け部６２の底壁面62-1との間に配置されているのが分かる。図６の非装着状態においては、弾性部材６８は弾性力により断面が真円に近く、そのため回動レバー６６は幾分の上向き状態をとる。図６の非装着状態から取付け部６２を嵌合部Ｓにて基部10-2に挿入して行くと、回転ローラ６４はカッターナイフ本体１０の対向底面との当接により押し下げられ、図５の正規の装着状態では、弾性部材６８は楕円形状を呈するように少し潰れ、その際の弾性力により回転ローラ６４はカッターナイフ本体１０の対向底面に弾性力下で当接し、かつ回転ローラ６４は、回転刃１２の切断縁における露出部位12-2aに近接位置する。
【００２１】
第２の実施形態における切断作業について、説明すると、図５においてペレット収納袋は封止部開封のためにカッターをハンドル１０Ａにて握り、矢印Ｃのように前進させることにより、封止部の縁部は、想像線Ｂ´のように押圧部２６の湾曲部26-1とこれに対向したカッターナイフ本体１０の下面10-3との間に位置させる。封止部Ｂは肉厚であるため、縁部の剛性が高く、また、ペレット収納袋Ａ（図１）は重量があるため、カッターの前進（矢印Ｃ）を続けることにより封止部Ｂはその縁部は座屈することなく回転ローラ６４を下降変位させ、その結果、封止部Ｂは押圧部２６の湾曲部26-1とこれに対向したカッターナイフ本体１０の下面10-3との間に導入され、カッターの更なる前進（矢印Ｃ）により円形刃１２の切断縁12-2aが封止部Ｂはその縁部Ｂ´ａから切断を開始され、カッターの前進（矢印Ｃ）を続けることにより封止部Ｂの完全な切除に至ることができる。
【００２２】
この第２の実施形態においては、カッターの移動（図５の矢印Ｃ）による切断時に、回転ローラ６４は、切断対象物を弾性力下でカッターナイフ本体１０に押し付けつつ回転するため、切断対象物を積極的に回転刃１２に向け移動させることを助けるため、極めて効率的かつ円滑な切断作業を進めることができるという作用効果を奏する。
【符号の説明】
【００２３】
１０…カッターナイフ本体
１０Ａ…カッターナイフ本体のハンドル部
10-2…カッターナイフ本体の基部
１２…円形刃
12-2a…円形刃の露出部位
１７…挿入体（本発明の切断対象物導入部）
２４…挿入体の取付け部
２６…挿入体の押圧部（本発明の切断対象物係合部材でかつ弾性部材）
26-1…押圧部の湾曲部
Ａ…ペレット収納袋
Ｂ…ペレット収納袋の封止部Ｂ
６０…切断対称物保持具（本発明の切断対象物導入部）
６２…切断対称物保持具の取付け部
６４…回転ローラ（本発明の切断対象物係合部材）
６６…回動レバー
６９…ローラ支持ピン
７０…レバー回動支持ピン
【図１】
2019068906.tif 000003
【図２】
2019068906.tif 000004
【図３】
2019068906.tif 000005
【図４】
2019068906.tif 000006
【図５】
2019068906.tif 000007
【図６】
2019068906.tif 000008
【図７】
2019068906.tif 000009
【図８】
2019068906.tif 000010